【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
グリコール、脂肪族ジイソシアネート、およびジオールを含むプレポリマーであって、
前記脂肪族ジイソシアネート中のイソシアネート基と前記グリコールおよび前記ジオール中のヒドロキシ基との比率が約１．３０〜約２．２０である、プレポリマー。
【請求項２】
前記脂肪族ジイソシアネートが４，４’−メチレンビス（シクロヘキシルイソシアネート）である、請求項１に記載のプレポリマー。
【請求項３】
前記グリコールがポリ（テトラメチレンエーテル）グリコールである、請求項１または２に記載のプレポリマー。
【請求項４】
前記ジオールがＤＭＰＡである、請求項１に記載のプレポリマー。
【請求項５】
前記イソシアネート基とヒドロキシ基との比率が約１．４０〜約２．００である、請求項１に記載のプレポリマー。
【請求項６】
前記イソシアネート基とヒドロキシ基との比率が約１．５０〜約１．９０である、請求項５に記載のプレポリマー。
【請求項７】
プレポリマー１ｋｇ当たりのミリ当量でのカルボン酸基の濃度範囲（Ｍｅｑ酸／ｋｇ  ＣＧ）が約１４０〜約２５０である、請求項１に記載のプレポリマー。
【請求項８】
前記プレポリマー１ｋｇ当たりのミリ当量でのカルボン酸基の濃度範囲が約１５０〜約２２０である、請求項７に記載のプレポリマー。
【請求項９】
前記プレポリマー１ｋｇ当たりのミリ当量でのカルボン酸基の濃度範囲が約１５５〜約２２０である、請求項８に記載のプレポリマー。
【請求項１０】
１官能性アルコールをさらに含む、請求項１に記載のプレポリマー。
【請求項１１】
前記１官能性アルコールが１−ヘキサノールである、請求項１０に記載のプレポリマー。
【請求項１２】
前記プレポリマーの総重量に基づいて、少なくとも約６０％のグリコール、少なくとも約１０％の脂肪族ジイソシアネート、少なくとも約１％のジオール、および約１％未満の１−ヘキサノールを含む、請求項１１に記載のプレポリマー。
【請求項１３】
前記プレポリマーの総重量に基づいて、少なくとも約７０％のグリコール、少なくとも約２０％の脂肪族ジイソシアネート、少なくとも約２．２％のジオール、および約０．６％未満の１−ヘキサノールを含む、請求項１２に記載のプレポリマー。
【請求項１４】
前記プレポリマーの総重量に基づいて、少なくとも約６０％のグリコール、少なくとも約１０％の脂肪族ジイソシアネート、および少なくとも約１％のジオールを含む、請求項１に記載のプレポリマー。
【請求項１５】
前記プレポリマーの総重量に基づいて、少なくとも約７０％のグリコール、少なくとも約２０％の脂肪族ジイソシアネート、および少なくとも約２．２％のジオールを含む、請求項１４に記載のプレポリマー。
【請求項１６】
請求項１〜１５のいずれか一項に記載のプレポリマーを含む水性ポリウレタン分散体。
【請求項１７】
水、中和剤、界面活性剤、消泡剤、酸化防止剤、および増粘剤のうちの１つ以上をさらに含む、請求項１６に記載の水性ポリウレタン分散体。
【請求項１８】
水、中和剤、界面活性剤、消泡剤、酸化防止剤、および増粘剤をさらに含む、請求項１６に記載の水性ポリウレタン分散体。
【請求項１９】
前記水性ポリウレタン分散体の総重量に基づいて、約３０％〜約４８％のプレポリマーを含有する、請求項１６〜１８のいずれか一項に記載の水性ポリウレタン分散体。
【請求項２０】
前記水性ポリウレタン分散体の総重量に基づいて、約３５％〜約４３％のプレポリマーを含有する、請求項１６〜１９のいずれか一項に記載の水性ポリウレタン分散体。
【請求項２１】
前記水性ポリウレタン分散体の総重量に基づいて、少なくとも約３０％のグリコール、少なくとも約１０％のイソシアネート、および少なくとも約１％のジオールを含有する、請求項１６〜１８のいずれか一項に記載の水性ポリウレタン分散体。
【請求項２２】
前記水性ポリウレタン分散体の総重量に基づいて、少なくとも約５０％の水、少なくとも約１％の界面活性剤、少なくとも約１％の増粘剤、約１％未満の中和剤、約１％未満の酸化防止剤、および約１％未満の消泡剤を含有する、請求項１８に記載の水性ポリウレタン分散体。
【請求項２３】
前記中和剤がトリエチルアミン（ＴＥＡ）である、請求項１８または２２に記載の水性ポリウレタン分散体。
【請求項２４】
プレポリマーであって
グリコール、
脂肪族ジイソシアネート、および
ジオールを含み、
前記脂肪族ジイソシアネート中のイソシアネート基と前記グリコールおよび前記ジオール中のヒドロキシ基の比率が約１．３０〜約２．２０である、プレポリマーと、
２−ジメチルアミノ−２−メチル−１−プロパノール（ＤＭＡＭＰ）を含む中和剤と、を含む水性ポリウレタン分散体。
【請求項２５】
前記分散体が、前記水性ポリウレタン分散体の総重量に基づいて、約０．１％未満のトリエチルアミン（ＴＥＡ）を含有する、請求項２４に記載の水性ポリウレタン分散体。
【請求項２６】
前記脂肪族ジイソシアネートが４，４’−メチレンビス（シクロヘキシルイソシアネート）である、請求項２４に記載の水性ポリウレタン分散体。
【請求項２７】
前記グリコールがポリ（テトラメチレンエーテル）グリコールである、請求項２４に記載の水性ポリウレタン分散体。
【請求項２８】
前記ジオールがＤＭＰＡである、請求項２４に記載の水性ポリウレタン分散体。
【請求項２９】
前記イソシアネート基とヒドロキシ基の比率が約１．４０〜約２．００である、請求項２４に記載の水性ポリウレタン分散体。
【請求項３０】
プレポリマー１ｋｇ当たりのミリ当量でのカルボン酸基の濃度範囲（Ｍｅｑ酸／ｋｇ  ＣＧ）が約１４０〜約２５０である、請求項２４に記載の水性ポリウレタン分散体。
【請求項３１】
前記プレポリマー１ｋｇ当たりのミリ当量でのカルボン酸基の濃度範囲が約１５０〜約２２０である、請求項３０に記載の水性ポリウレタン分散体。
【請求項３２】
請求項１６〜３１のいずれか一項に記載の水性ポリウレタン分散体を基材に適用することを含む、造形物品を製造する方法。
【請求項３３】
前記水性ポリウレタン分散体が、パディング、コーティング、印刷、接着、スプレー、または積層によって前記基材に適用される、請求項３２に記載の方法。
【請求項３４】
前記基材に適用する前に前記水性ポリウレタン分散体を希釈することをさらに含む、請求項３２に記載の方法。
【請求項３５】
乾燥水性分散体を形成するために、前記水性ポリウレタン分散体を硬化することをさらに含む、請求項３２に記載の方法。
【請求項３６】
前記乾燥水性分散体が、フィルム、テープ、またはドット、形、ジグザグ、もしくは線のパターンである、請求項３２に記載の方法。
【請求項３７】
前記水性ポリウレタン分散体が、伸張および回復が望まれる基材に適用される、請求項３２に記載の方法。
【請求項３８】
前記基材が繊維布である、請求項３２に記載の方法。
【請求項３９】
請求項３２〜３８のいずれか一項に記載の方法によって製造された造形物品。
【請求項４０】
請求項１〜１５のいずれか一項に記載のプレポリマーを含む乾燥水性ポリウレタン分散体を含む造形物品。
【請求項４１】
前記造形物品がフィルムである、請求項４０に記載の造形物品。
【請求項４２】
約０．１４ｇ／デニール〜約０．２４ｇ／デニールの引張強度を有する、請求項４１に記載の造形物品。
【請求項４３】
約０．１５ｇ／デニール〜約０．２２ｇ／デニールの引張強度を有する、請求項４２に記載の造形物品。
【請求項４４】
約５分間の約１９５℃曝露後に、ＣＩＥ白色度指数値の約３０％〜約４０％の減少を有する、請求項４２に記載の造形物品。
【請求項４５】
約８時間のＵＶ曝露後に、ＣＩＥ白色度指数値の約２％未満の減少を有する、請求項４２に記載の造形物品。
【請求項４６】
約２４時間のＮＯ２曝露後に、ＣＩＥ白色度指数値の約５％未満の減少を有する、請求項４２に記載の造形物品。
【請求項４７】
請求項３９に記載の造形物品を含む物品。
【請求項４８】
前記水性ポリウレタン分散体が物品の継ぎ目または支持領域に適用される、請求項４０に記載の物品。
【請求項４９】
前記造形物品が適用されている場合、前記物品が、改善された白色度保持を有する、請求項４７に記載の物品。
【請求項５０】
前記造形物品が適用されている場合、前記物品が、改善された引張強度を有する、請求項４７に記載の物品。
【請求項５１】
前記造形物品が適用されている場合、前記物品が、改善された耐塩素性を有する、請求項４７に記載の物品。
【請求項５２】
モジュラスが、約６０時間塩素化環境に曝露後も実質的に一定のままである、請求項５１に記載の物品。
【請求項５３】
前記モジュラスが、約１００時間塩素化環境に曝露後も実質的に一定のままである、請求項５１に記載の物品。